(57)【要約】【課題】フレームへの背凭れ板の取付けが容易であるとともに、耐久性にも優れ、また良好なクッション性を持たせることができ、更に外観性にも優れ、部品点数を削減できる椅子を提供する。【解決手段】フレーム１に座板２と背凭れ板３を取付けた椅子であって、背凭れ板の上部をフレームに取付けるとともに、背凭れ板の下部背面とフレームとの間に、背凭れ板の下部が前後に撓み変形することを許容するための隙間３１を設けてなる。【選択図】　　　　図７
2004141425.tif 000002
【特許請求の範囲】
【請求項１】
フレームに座板と背凭れ板を取付けた椅子であって、前記背凭れ板の上部をフレームに取付けるとともに、該背凭れ板の下部背面と前記フレームとの間に、該背凭れ板の下部が前後に撓み変形することを許容するための隙間を設けてなることを特徴とする椅子。
【請求項２】
前記背凭れ板の背面に下方へ開口した装着部を突設するとともに、前記フレームの上方へ向いた背固定部を前記背凭れ板の装着部内に嵌挿するとともに、該背固定部に設けた係合爪と装着部内に設けた係合凹部とからなる固定手段あるいは前記装着部を貫通して背固定部にねじ止めする固定手段にて抜止めして背凭れ板を取付けてなる請求項１記載の椅子。
【請求項３】
前記背凭れ板の背面に下方へ開口した袋状の装着部を突設するとともに、該装着部の開口部が背凭れ板の幅方向で両端部から中央部に向かって連続形成されており、前記フレームを構成する支持フレームは左右一対の支持杆の略垂直な背支持杆の先端部間を背連結杆で連結一体化したものであり、該背支持杆の先端部の前記背固定部を前記背凭れ板の装着部内に嵌挿するとともに、前記背連結杆を前記装着部の開口部内に位置させて背凭れ板の略中央部を支持してなる請求項１又は２記載の椅子。
【請求項４】
前記座板と背凭れ板とを、同一形状となして合成樹脂製で一体成形してなる請求項１〜３何れかに記載の椅子。
【発明の詳細な説明】
【０００１】
【発明の属する技術分野】
本発明は、椅子に係わり、更に詳しくはフレームに座板と背凭れ板を取付けた椅子に関するものである。
【０００２】
【従来の技術】
従来から、フレームに座板と背凭れ板を取付けて構成した椅子は公知であり、フレームに座板及び背凭れ板を取付ける構造も各種提供されている。例えば、特許文献１には、逆Ｕ字状に成形した合成樹脂製の背体縁枠の内周面に、板状背体を嵌着するとともに、背体縁枠の下方両端部に丸棒を延出し、座体の後方両側に立設した両支脚の上端に前記丸棒を嵌入して、側方からねじにより抜止めした連結構造が記載されている。
【０００３】
また、特許文献２には、比較的薄いクッションを折り曲げ、その間に両側端に嵌合用の筒部を設けたキャンバスを挟み込んで取付け、略Ｕ型に形成されて背フレームに前記筒部を嵌合してクッションを被せ、かつ下部にポケットを有する袋状のカバーで被覆一体化した背凭れ部の構造が記載されている。また、座部の構造そして、両側の側フレームの前後間に固定された前フレームと背フレームとの間にキャンバスを張設し、該キャンバスに座部クッションを載置したものが記載されている。
【０００４】
また、特許文献３には、インジェクション成形した座板と背凭れ板とを、丸スチールパイプにより形成されたフレームに取付けた椅子が記載されている。つまり、略Ｕ字型の背支杆の左右立起部及び水平部に、背凭れ板の両側縁部及び上縁部に形成した嵌合部を嵌合するとともに、背凭れ板の両側縁部に形成した取付部を左右立起部の後面部を回り込んで覆うような形状とし、該取付部を後側から立起部にねじ止めした構造が記載されている。また、座板は、薄板状の椅子本体の下面に略格子状に垂下した複数の補強用リブを有し、前後方向に延びる両側の座受杆の前後間に前支持体と後支持体を連結し、その上に前記座板が支持されている。
【０００５】
【特許文献１】実用新案登録第２５９６９３３号公報
【０００６】
【特許文献２】実公昭６０−３８９１９号公報
【０００７】
【特許文献３】特開２００１−９５６４３公報
【０００８】
【発明が解決しようとする課題】
ここで、特許文献１に記載されたものは、背凭れ部の連結部分における強度に問題があるとともに、合成樹脂製の背体縁枠の撓みを利用してクッション性を持たせているので、耐久性に問題がある。また、特許文献２に記載されたものは、張設したキャンバスで座及び背クッションを支持する構造であるので、経年変化によりキャンバスが延びて座部や背凭れ部に張りがなくなり、所期の座り心地が得られなくなり、やはり耐久性に問題があるとともに、組み立てに手間がかかる。そして、特許文献３に記載されたものは、座板や背凭れ板の取付強度の点で問題があるとともに、クッション性が乏しく、更に背凭れ板の背面に背支杆が露出して外観性に劣る。
【０００９】
本発明が前述の状況に鑑み、解決しようとするところは、フレームへの背凭れ板の取付けが容易であるとともに、耐久性にも優れ、また良好なクッション性を持たせることができ、更に外観性にも優れ、部品点数を削減できる椅子を提供する点にある。
【００１０】
【課題を解決するための手段】
本発明は、前述の課題解決のために、フレームに座板と背凭れ板を取付けた椅子であって、前記背凭れ板の上部をフレームに取付けるとともに、該背凭れ板の下部背面と前記フレームとの間に、該背凭れ板の下部が前後に撓み変形することを許容するための隙間を設けてなる椅子を構成した。
【００１１】
ここで、前記背凭れ板の背面に下方へ開口した装着部を突設するとともに、前記フレームの上方へ向いた背固定部を前記背凭れ板の装着部内に嵌挿するとともに、該背固定部に設けた係合爪と装着部内に設けた係合凹部とからなる固定手段あるいは前記装着部を貫通して背固定部にねじ止めする固定手段にて抜止めして背凭れ板を取付けてなることが好ましい。
【００１２】
また、前記背凭れ板の背面に下方へ開口した袋状の装着部を突設するとともに、該装着部の開口部が背凭れ板の幅方向で両端部から中央部に向かって連続形成されており、前記フレームを構成する支持フレームは左右一対の支持杆の略垂直な背支持杆の先端部間を背連結杆で連結一体化したものであり、該背支持杆の先端部の前記背固定部を前記背凭れ板の装着部内に嵌挿するとともに、前記背連結杆を前記装着部の開口部内に位置させて背凭れ板の略中央部を支持してなるのである。
【００１３】
更に、前記座板と背凭れ板とを、同一形状となして合成樹脂製で一体成形してなることがより好ましい。
【００１４】
【発明の実施の形態】
次に本発明の実施の形態を添付図面に基づき更に詳細に説明する。図１〜図４は本発明に係る椅子を示し、図中符号１はフレーム、２は座板、３は背凭れ板、４は脚フレーム、５は支持フレームをそれぞれ示している。
【００１５】
本発明に係る椅子は、金属製フレーム１に合成樹脂製で一体成形した座板２と背凭れ板３を取付けた構造を有している。前記フレーム１は、丸スチールパイプだ作製した脚フレーム４と支持フレーム５を分離可能に連結して構成したが、材料としてはアルミ製でも良く、また中実の棒でも良く、更に断面形状も任意である。
【００１６】
また、前記座板２と背凭れ板３は、共に合成樹脂製で一体成形されたものであり、例えば発泡ポリプロピレン等で成形し、前記座板２にあっては下面に後方へ開口した袋状の装着部６を突設するとともに、該装着部６の開口部７が座板２の幅方向で両端部から中央部に向かって連続形成されており、前記背凭れ板３にあっては背面に下方へ開口した袋状の装着部８を突設するとともに、該装着部８の開口部９が背凭れ板３の幅方向で両端部から中央部に向かって連続形成されている。前記座板２と背凭れ板３は、滑らかに湾曲した板体の凸面側に、前記装着部６，８を滑らかに湾曲させて突出した形状となっており、前記開口部７，９の部分のみが不連続な段部となっている。そして、前記座板２の開口部７を、該座板２の前後方向で略中央部に形成し、前記背凭れ板３の開口部９を、該背凭れ板３の上下方向で略中央部に形成している。
【００１７】
ここで、前記座板２と背凭れ板３とは同一金型で成形した同一形状とすることがコスト削減の観点から好ましい。但し、前記座板２と背凭れ板３とを同一形状に成形しても、穿孔等の後加工を加えることはある。また、前記座板２と背凭れ板３は、成形品であるので、素材や発泡倍率を変えることによって弾性力を適宜設定することが可能であり、また着色も自由であるので、様々な色のものを提供できる。
【００１８】
そして、前記フレーム１の前方へ向いた座固定部１０を前記座板２の装着部６内に嵌挿した状態で該座板２をフレーム１に取付けるとともに、前記フレーム１の上方へ向いた背固定部１１を前記背凭れ板３の装着部８内に嵌挿した状態で該背凭れ板３をフレーム１に取付けるのである。
【００１９】
更に詳しくは、前記フレーム１を構成する脚フレーム４は、左右一対の側面視倒コ字形の支脚杆１２，１２の上端部前後に、前受杆１３と後受杆１４を横方向に固着して設けたものである。ここで、前記脚フレーム４は、上下にスタッキングできるような形状に形成することが好ましい。また、前記フレーム１を構成する前記支持フレーム５は、略水平な座支持杆１５と、略垂直な背支持杆１６とを有する側面視略Ｌ字形の左右一対の支持杆１７，１７の両端部を、座連結杆１８と背連結杆１９で連結一体化したものであり、前記座支持杆１５，１５及び座連結杆１８とで前記座固定部１０を構成し、前記背支持杆１６，１６及び背連結杆１９とで前記背固定部１１を構成している。
【００２０】
そして、図４及び図５に示すように、前記支持フレーム５の両支持杆１７，１７の座支持杆１５，１５を前記脚フレーム４の前記後受杆１４との交差部でねじ２０，２０にて連結する。ここで、前記座支持杆１５，１５と前受杆１３及び後受杆１４との交差部であって、前記前受杆１３及び後受杆１４には取付孔２１，…を形成し、前記座支持杆１５には螺孔２２若しくはねじ２０がタッピンねじの場合には下穴を形成している。それから、図５及び図６に示すように、前記座支持杆１５，１５の先端部の前記座固定部１０を前記座板２の装着部６内に嵌挿した状態で、該装着部６を形成する袋板６Ａを前記前受杆１３と座固定部１０とで挟み、袋板６Ａを貫通して前記前受杆１３と座固定部１０とを連結する。ここで、前記座連結杆１８を前記装着部６の開口部７内に位置させて座板２の略中央部を支持している。この場合、前記座板２の袋板６Ａには通孔２３，２３を形成しておき、前記前受杆１３の取付孔２１，２１に下方から挿入したねじ２４を通孔２３，２３を通して前記座固定部１０である座支持杆１５，１５に形成した螺孔２２，２２に螺合して連結する。従って、前記ねじ２０，２０及びねじ２４，２４を外せば、前記座板２と脚フレーム４と支持フレーム５とは完全に分解することができる。
【００２１】
また、前記背凭れ板３をフレーム１に取付けるには、図３、図４及び図７に示すように、前記支持フレーム５の略垂直な背支持杆１６の先端部の前記背固定部１１を前記背凭れ板３の装着部８内に嵌挿するとともに、適宜な固定手段にて抜止めして取付ける。ここで、前記背固定部１１を前記背凭れ板３の装着部８内に嵌挿した状態で、前記背連結杆１９を前記装着部８の開口部９内に位置させて背凭れ板３の略中央部を支持している。
【００２２】
前記固定手段としては、前記装着部８を形成する袋板８Ａで、前記座板２の通孔２３，２３と同じ位置に形成した通孔２５，２５にねじ２６，２６を挿通し、前記背支持杆１６，１６の先端部に形成した螺孔２７又は前記ねじ２６がタッピンねじの場合には下穴に螺合して抜止めする。この場合、前記座板２と背凭れ板３とは、前記通孔２３，２３と通孔２５，２５のまで同一となり、これら通孔を含めて一体成形することが可能である。また、前記背凭れ板３と支持フレーム５との分解もねじ２６，２６を外すだけで簡単に行うことができ、廃棄処分の際の分別、リサイクルが容易である。
【００２３】
また、他の固定手段としては、図８及び図９に示すように、前記背固定部１１を構成する前記背支持杆１６，１６の先端部に設けた係合爪２８，２８と前記装着部８内に設けた係合凹部２９，２９とからなる固定手段を採用することが可能である。この場合には、単に前記背固定部１１を背凭れ板３の装着部８内に嵌挿するだけで、前記係合爪２８，２８が係合凹部２９，２９に係合して抜止め状態で簡単に取付けることができる。また、前記背凭れ板３と支持フレーム５との分解は、前記背支持杆１６，１６の先端部に沿って前記装着部８の袋板８Ａを切開することで容易に行える。
【００２４】
このように、前記座板２と背凭れ板３とを前記フレーム１に取付けて組み立てた椅子は、前記座板２と背凭れ板３が合成樹脂製であるので材料そのものの弾性力を備えているが、図５に示すように、前記座板２の開口部７より後方側の下面と、前記支持フレーム５の座支持杆１５との間に、該座板２の後部が上下に撓み変形することを許容するための隙間３０を設け、また図７及び図９に示すように、前記背凭れ板３の開口部９より下方側の背面と、前記支持フレーム５の背支持杆１６との間に、該背凭れ板３の下部が前後に撓み変形することを許容するための隙間３１を設けている。
【００２５】
従って、前記座板２に着座すると、着座者の重心が座板２の前後中央部よりも後方に位置するので、前記座板２の後部が前記隙間３０を設けた作用によって下方へ撓み変形するとともに、前記背凭れ板３に凭れ掛かった際に、着座者の腰部の押圧力で前記背凭れ板３の下部が前記隙間３１を設けた作用によって後方へ撓み変形する。それにより、着座者の体重、体型に応じて座板２及び背凭れ板３が部分的に変形するので、座り心地が非常に良くなる。
【００２６】
【発明の効果】
以上にしてなる請求項１に係る発明の椅子は、フレームに座板と背凭れ板を取付けた椅子であって、前記背凭れ板の上部をフレームに取付けるとともに、該背凭れ板の下部背面と前記フレームとの間に、該背凭れ板の下部が前後に撓み変形することを許容するための隙間を設けてなるので、背凭れ板に凭れ掛かった際に、着座者の腰部の押圧力で前記背凭れ板の下部が後方へ撓み変形するので、良好なクッション性を持たせることができ、座り心地が良くなる。
【００２７】
請求項２によれば、フレームへの背凭れ板の取付けが容易になり、また外観性にも優れたものとなる。
【００２８】
請求項３によれば、フレームに背凭れ板を簡単に取付けることができるにも係らず、背凭れ板の取付強度が高く、しかも背連結杆で背凭れ板の上下略中央部を支持するので、支持強度が高く、耐久性も向上し、更に組立工数と部品点数を削減できてコスト低減化に大きく寄与する。
【００２９】
請求項４によれば、座板及び背凭れ板の形状、色も自由に設計することができ、斬新なデザインの椅子を提供でき、更に座板と背凭れ板を共通部品化して更なるコスト低減化図ることができる。
【図面の簡単な説明】
【図１】本発明に係る椅子の斜視図である。
【図２】同じく椅子の側面図である。
【図３】同じく座板と背凭れ板の取付部の構造を示した側面図である。
【図４】本発明の椅子の分解斜視図である。
【図５】フレームに座板を取付けた状態の部分縦断側面図である。
【図６】同じくフレームに座板を取付けた状態の部分縦断正面図である。
【図７】支持フレームに背凭れ板を取付けた状態の部分縦断側面図である。
【図８】支持フレームに背凭れ板を抜止め状態で取付ける構造を示す部分分解斜視図である。
【図９】同じく支持フレームに背凭れ板を抜止め状態で取付けた状態の部分縦断側面図である。
【符号の説明】
１　フレーム　　　　　２　座板
３　背凭れ板　　　　　４　脚フレーム
５　支持フレーム　　　６　装着部
６Ａ　袋板　　　　　　７　開口部
８　装着部　　　　　　８Ａ　袋板
９　開口部　　　　　　１０　座固定部
１１　背固定部　　　　１２　支脚杆
１３　前受杆　　　　　１４　後受杆
１５　座支持杆　　　　１６　背支持杆
１７　支持杆　　　　　１８　座連結杆
１９　背連結杆　　　　２０　ねじ
２１　取付孔　　　　　２２　螺孔
２３　通孔　　　　　　２４　ねじ
２５　通孔　　　　　　２６　ねじ
２７　螺孔　　　　　　２８　係合爪
２９　係合凹部　　　　３０　隙間
３１　隙間
【図１】
2004141425.tif 000003
【図２】
2004141425.tif 000004
【図３】
2004141425.tif 000005
【図４】
2004141425.tif 000006
【図５】
2004141425.tif 000007
【図６】
2004141425.tif 000008
【図７】
2004141425.tif 000009
【図８】
2004141425.tif 000010
【図９】
2004141425.tif 000011